(57)【特許請求の範囲】
【請求項１】
販売商品の少なくとも商品コードと名称を含む商品情報と、前記販売商品の商品コードと特売価格が有効となる期間とを含む特売情報とが記憶された記憶手段と、
前記売価変更情報と前記商品情報とに基づいて、前記販売商品の広告情報を印字する印字手段と、
前記印字手段で印字された前記広告情報が印字された広告印刷物の取扱作業指示を出力する作業指示出力手段と、
前記作業指示出力手段で出力された広告印刷物の取扱作業指示の履歴情報を記憶する取扱作業指示履歴情報記憶手段とを備え、
前記作業指示出力手段は、前記特売価格が有効となる期間に基づいて、前記取扱作業指示履歴記憶手段で記憶された広告印刷物の取扱作業指示履歴を参照し、前記販売商品の陳列棚に対する前記広告印刷物の着脱作業指示と、同一商品で特売が有効となる期間が重なり取り外すべき前記広告印刷物があると判定した場合、取り外すべき前記広告印刷物の保管または廃棄の作業指示とを出力することを特徴とする印字システム。
【請求項２】
前記特売情報に特売区分を含み、前記特売区分と売価とが同一であり且つ本日以降の開始日付である特売情報を検索する検索手段とを備え、
前記作業指示出力手段は、前記検索手段の検索結果に基づいて前記広告印刷物の保管または廃棄の作業指示を出力することを特徴とする請求項１に記載の印字システム。
【請求項３】
前記特売情報に特売区分を含み、前記記憶手段は、前記特売区分と前記広告印刷物の保管場所とを関係付けて記憶し、
前記作業指示出力手段は、前記保管場所に前記広告印刷物を保管する作業指示を出力することを特徴とする請求項１に記載の印字システム。
【発明の詳細な説明】
【技術分野】
【０００１】
本発明は、ＰＯＳ（point of sale system）ラベル或いはＰＯＰ広告（point of purchase advertising）を印刷する印字システムに関する。
【背景技術】
【０００２】
客に対して販売する商品の売価の伝達ミスや遅停を無くす為に、近年、電子棚札の導入が増えきている。しかしながら、電子棚札の導入費用が高価であるために、小規模なスーパーマーケットの店舗等では、客への売価伝達方法は紙媒体等へ印刷した棚札やＰＯＰ広告を用いており、その印刷された棚札やＰＯＰ広告の取付け取り外し作業は、店舗の従業員により当日の開店前迄に完了するように手作業で実施されているのが実情である。また、スーパーマーケットの店舗等で実施される値下げ販売の種類は多く、期間を定めて売出しを行う期間特売、休日に客を集客することを目的とした週末特売、販売店の都合により商品の完売を目的とした緊急特売等のいくつもの値下げ販売の種類が存在しており、またそれぞれの値下げ販売の実施期間が重なることも珍しくはなく、従業員は、その都度それぞれの値下げ販売に対応するＰＯＰ広告等の印刷や掲示作業を所定の条件を判断しながら行わなければならなかった。
【０００３】
そのため、売り場に掲示する棚札やＰＯＰ広告の取付け取り外し作業は、当日の特売情報等が記載された帳票又はチラシ等を用いて、売り場の商品陳列棚の状態を確認しながら、帳票等の紙面に印刷された商品名称を頼りに目視確認し、該当する商品を見つけてＰＯＰ広告を取付け、また既に棚陳列されている商品にＰＯＰ広告が取付けられている状態であれば、取外すべきか否かを確認した上で掲示作業を行う必要がある。その確認方法は、帳票又はチラシ等に印字されている商品名称、商品価格、日付及び現在掲示されているＰＯＰ広告を照合確認した上で、既に掲示されているＰＯＰ広告の売出しが終わっていると判断した場合はＰＯＰ広告の取外しを行い、そして新しいＰＯＰ広告を掲示するという作業が行われている。
【０００４】
なお、先行技術として、各商品に関する情報を表示するために各商品の近傍に配置される複数の棚札表示器と、各商品に関する情報を棚札表示器に対して送信するサーバとを備え、店舗において陳列している商品やその商品の広告に対する作業員による作業が必要なときに、サーバからの指令によって棚札表示器に作業を補助する表示を行う棚札表示変更システムが知られている（例えば、特許文献１参照）。
【特許文献１】特開２０００−２４５５９８号公報
【発明の開示】
【発明が解決しようとする課題】
【０００５】
しかしながら、現在取外したＰＯＰ広告が、後日使用するものであるか否かなどの判断をその場で行うことは難しいために廃棄されてしまうこともある。そして後日ＰＯＰ広告が必要になった時に、再度同じ内容のＰＯＰ広告を印刷しなければならないため、その印刷作業の時間が必要になるとともに、印刷用紙等の消耗品を無駄に消費してしまうという問題がある。また、新たに掲示対象とする商品の陳列棚に新たなＰＯＰ広告の掲示がなく、現時点で掲示されているＰＯＰ広告の取外し作業のみを行わなければならない場合、取外すべきＰＯＰ広告が掲示されていた以前から重複する月間特売や推奨販売がある場合にそのＰＯＰ広告の存在や、ポイント対象外商品等を告知する目的で掲示されていたＰＯＰ広告の存在を知ることができないため、取り替えるべきＰＯＰ広告の取付け忘れなどが発生してしまうという問題がある。このような取付け忘れが発生した場合、客に対して販売価格或いは情報が正しく伝達されず、客が見た表示価格或いは情報と、レジ清算時に表示される価格或いは情報とが一致しないという事態が発生してしまう。
【０００６】
本発明は、このような事情に鑑みてなされたもので、紙媒体等を用いて商品情報を伝達する場合において、商品の広告を無駄に印字することなく、広告に対する作業の作業性を向上させ、作業の正確性や商品情報の伝達ミスを無くすことができる印字システムを提供することを目的とする。
【課題を解決するための手段】
【０００７】
本発明は、販売商品の少なくとも商品コードと名称を含む商品情報と、前記販売商品の商品コードと特売価格が有効となる期間とを含む特売情報とが記憶された記憶手段と、前記売価変更情報と前記商品情報とに基づいて、前記販売商品の広告情報を印字する印字手段と、前記印字手段で印字された前記広告情報が印字された広告印刷物の取扱作業指示を出力する作業指示出力手段と、前記作業指示出力手段で出力された広告印刷物の取扱作業指示の履歴情報を記憶する取扱作業指示履歴情報記憶手段とを備え、前記作業指示出力手段は、前記特売価格が有効となる期間に基づいて、前記取扱作業指示履歴記憶手段で記憶された広告印刷物の取扱作業指示履歴を参照し、前記販売商品の陳列棚に対する前記広告印刷物の着脱作業指示と、同一商品で特売が有効となる期間が重なり取り外すべき前記広告印刷物があると判定した場合、取り外すべき前記広告印刷物の保管または廃棄の作業指示とを出力することを特徴とする。
【００１０】
本発明は、前記特売情報に特売区分を含み、前記特売区分と売価とが同一であり且つ本日以降の開始日付である特売情報を検索する検索手段とを備え、前記作業指示出力手段は、前記検索手段の検索結果に基づいて前記広告印刷物の保管または廃棄の作業指示を出力することを特徴とする。
【００１１】
本発明は、前記特売情報に特売区分を含み、前記記憶手段は、前記特売区分と前記広告印刷物の保管場所とを関係付けて記憶し、前記作業指示出力手段は、前記保管場所に前記広告印刷物を保管する作業指示を出力することを特徴とする。
【発明の効果】
【００１４】
本発明によれば、紙媒体等を用いて商品情報を伝達する場合において、商品の広告を無駄に印字することなく、広告に対する作業の作業性を向上させ、作業の正確性や商品情報の伝達ミスを無くすことができるという効果が得られる。
【発明を実施するための最良の形態】
【００１５】
以下、本発明の一実施形態による印字システムを図面を参照して説明する。図１は同実施形態の構成を示すブロック図である。この図において符号１は、店舗内の商品販売処理に関する管理処理を行う上位コンピュータである。符号２は、棚札やＰＯＰ広告等の印字処理を実行する印字システムである。符号３は、棚札やＰＯＰ広告等の印刷を行う印刷装置（プリンタ）である。符号４は、上位コンピュータ１、印字システム２及び印刷装置３のそれぞれの間で情報通信を可能にするＬＡＮ（Local Area Network）である。符号５は、上位コンピュータ１が接続されるインターネット等の外部ネットワークである。符号６は、既に印刷されたＰＯＰ広告等の印刷物を保管するＰＯＰ広告保管箱であり、店舗内の事務所等に設置される。ＰＯＰ広告保管箱６は、複数の棚（ここでは４つの棚）を備え、各棚には識別番号（ＰＯＰ棚１〜４）が付与されて表示されている。
【００１６】
符号２１は、印字システム２の処理動作を統括して制御するＣＰＵである。符号２２は、印字システム２を動作させるためのプログラム等が予め記憶されたＲＯＭである。符号２３は、印字システム２が処理動作する場合にワーク記憶エリアとして用いるＲＡＭである。符号２４は、ハードディスク装置等から構成する記憶部であり、棚札やＰＯＰ広告等の管理処理を行うための情報が記憶されるる。符号２は、ＬＡＮ４を介して、上位コンピュータ１及び印刷装置３との間で情報通信を行う通信部である。符号４６は、ディスプレイ装置等から構成する表示部である。符号４７は、キーボード等から構成する入力部である。なお、印刷装置３は、ＬＡＮ４を介して印字システム２に接続されているが、印字システム２に直接接続されていてもよい。
【００１７】
ここで、図４〜図９を参照して、図１に示す各装置において処理されるデータについて説明する。初めに、図４を参照して、売価変更データについて説明する。売価変更データは、「ＪＡＮコード」、「商品コード」、「通常売価」、「指示売価」、「指示区分」、「売価適用日」、「売価指示日」が１レコードとして構成されたデータであり、ＪＡＮコードと商品コードで特定される商品について、売価を変更するためのデータである。図４に示す例では、ＪＡＮコード毎に並び替えたデータを示したが、実際の売価変更データは、売価の変更が行われる度に、上位コンピュータ１から印字システム２に対して送信され、売価の変更が行われる度に追加されていくデータである。例えば、図４に示す１番目のレコードデータでは、ＪＡＮコードが「４９１２３４５６７８９１１」、商品コードが「０００２」という商品は、通常価格が「１００」円であり、この通常価格１００円を指示売価の「８９」円に変更することを意味している。そして、この売価変更は、「週末特売（指示区分）」として実施され、その売価適用日が「２００７／１０／１３」であり、この売価指示日が「２００７／１０／１２」であることを示している。
【００１８】
次に、図５を参照して、商品情報テーブルについて説明する。この商品情報テーブルは、ＬＡＮ４を介して、上位コンピュータ１から必要な情報を受け取ることにより印字システム２内にデータベース化されたものである。商品情報テーブルは、「ＪＡＮコード」、「商品コード」、「商品名称」、「原産地コード」、「原産地名称」、「通常売価」、「規格数」、「規格単位」、「発注点」、「発注数量」、「発注単位」、「印字フォーマット」、「キャッチコピー」、「陳列場所」等のそれぞれが１つの商品について関係付けられており、販売する商品の種類の数だけ登録されたデータである。
【００１９】
次に、図６を参照して、特売スケジュールデータについて説明する。特売スケジュールデータは、「特売企画コード」、「特売企画名称」、「ＪＡＮコード」、「商品コード」、「特売開始日」、「特売終了日」、「開始時刻」、「終了時刻」、「通常売価」、「特売売価」、「戻し売価」、「印刷対象フラグ」、「印字フラグ」、「ＰＯＰ保管場所」等のそれぞれが関係付けられており、特売するべき対象の商品の数だけ定義されるデータであるとともに、特売が行われる度に追加されていくデータである。この特売スケジュールデータは、印字システム２の記憶部２４内に記憶されるデータである。戻し売価とは、特売終了時に売価を戻す場合の売価である。また、印刷対象フラグは、「１」の場合は印刷を行うべきデータであること意味し、「０」の場合は印刷対象外のデータであることを意味しており、対象となるＰＯＰ広告等は既に保管管理されていることを意味している。また、印字フラグは、「１」の場合は、既に印字済みであることを意味し、「０」の場合は、未だ印字を行っていないことを意味する。例えば、図６に示す１番目のレコードデータでは、特売企画コードが「８００００１」、特売企画名称が「週末特売」である特売においては、ＪＡＮコードが「４９１２３４５６７８９１１」、商品コードが「０００２」という商品について、２００７／１０／１３〜２００７／１０／１４の期間おいて、１０時から２２時までの間に、通常売価１００円であるものを８９円で販売し、特売終了時に売価を１００円に戻すことを意味している。また、この商品について、ＰＯＰ広告等の印刷対象となっており、既に印字が終了していることを示し、またこのＰＯＰ広告等の印刷物をＰＯＰ保管箱６の「ＰＯＰ棚２」へ保管することを示している。
【００２０】
次に、図７を参照して、作業指示履歴ファイルについて説明する。作業指示履歴ファイルは、「ＪＡＮコード」、「商品コード」、「商品名称」、「通常売価」、「印字売価」、「指示売価」、「売価適用日」、「特売企画コード」、「特売企画名称」、「開始日」、「終了日」、「開始時刻」、「終了時刻」、「陳列場所」、「取付ＰＯＰ」、「取外ＰＯＰ」、「取外ＰＯＰ扱い」等のそれぞれが関係付けられたデータである。取付ＰＯＰとは、陳列場所に取り付けるべきＰＯＰ広告等の種別を表しており、「なし」の場合は、取り付けるべきＰＯＰ広告がないことを意味する。また、取外ＰＯＰは、新たにＰＯＰ広告を取り付ける時に、代わりに取り外すべきＰＯＰ広告等の種別を現しており、「なし」の場合は、取り外すべきＰＯＰ広告がないことを意味する。また、取外ＰＯＰ扱いは、取り外したＰＯＰ広告の扱いを表しており、「なし」、ＰＯＰ広告保管箱６の所定の棚に「保管」する、または「廃棄」するのいずれかが定義される。例えば、図７に示す１番目のレコードデータでは、ＪＡＮコードが「４９１２３４５６７８９１１」、商品コードが「０００２」、商品名称が「○○コーラ」という商品について、通常価格１００円であるものを特売のために、指示売価８９円に基づいて売価８９円と印字し、特売企画コードが「８００００１」、特売企画名称が「週末特売」である特売においては、印字した売価のＰＯＰ広告等を売場１−１−２の陳列場所に取り付けることを意味している。このとき、取り外したＰＯＰ広告は存在しないことを意味している。
【００２１】
次に、図８を参照して、作業指示ファイルについて説明する。作業指示ファイルには、売価を変更した場合に店舗の従業員が行うべき作業の指示に関するデータが記憶される。作業指示ファイルは、「ＪＡＮコード」、「商品コード」、「商品名称」、「旧売価」、「現在売価」、「特売企画名称」、「特売終了日」、「印字年月日」、「陳列場所」、「今回印刷有無」、「保管済みＰＯＰ」、「作業指示」、「現在売場ＰＯＰ状況」、「回収ＰＯＰ」等のそれぞれが関係付けられたデータである。作業指示は、従業員が行うべき作業を表しており、既に取り付けられているＰＯＰ広告を取り外して新たなＰＯＰ広告を取り付ける「ＰＯＰ取替え」、既に取り付けられているＰＯＰ広告を取り外す「ＰＯＰ取外し」、新たにＰＯＰ広告を取り付ける「ＰＯＰ取付け」のいずれかの作業指示が定義される。現在売場ＰＯＰ状況は、現時点の陳列棚にＰＯＰ広告が取り付けられているか否かを表しており、「掲示あり」または「掲示なし」のいずれかが定義される。回収ＰＯＰは、取り外したＰＯＰ広告の取り扱いを表しており、「使用済み廃棄」、「ＰＯＰ棚２へ保管」、「なし」等が定義される。
【００２２】
次に、図９を参照して、保管場所情報について説明する。保管場所情報は、「番号」、「ＰＯＰ保管場所」、「特売企画コード」、「特売企画名称」等が予め関係付けられたデータである。例えば、図９に示す１番目のレコードデータでは、特売企画コードが「９０００１」で、特売企画名称が「期間特売」である特売に用いるＰＯＰ広告等の印刷物をＰＯＰ棚１に保管することを意味している。
【００２３】
次に、図２、３を参照して、図１に示す印字システム２の動作を説明する。まず、ＣＰＵ２１は、通信部２５を介して、上位コンピュータ１から売価変更データを１レコード分読み込み、ＲＡＭ２３に保持する（ステップＳ２００）。そして、ＣＰＵ２１は、読み込まれたデータがあるか否かを判定する（ステップＳ２０１）。この判定の結果、読み込まれた売価変更データがあった場合、ＣＰＵ２１は、記憶部２４に記憶されている特売スケジュールデータ（図６参照）内を検索する（ステップＳ２０２）。この検索の結果、ＣＰＵ２１は、売価変更データに定義されている商品コードと一致する商品コードが特売スケジュールデータ内に存在したか否かを判定する（ステップＳ２０３）。この判定の結果、該当する商品コードが存在しなければ、ステップＳ２０８へ移行する。
【００２４】
一方、該当する商品コードが存在した場合、ＣＰＵ２１は、売価変更データの売価適用日が、特売期間（特売開始日から特売終了日までの期間）と重なるか否かを判定する（ステップＳ２０４）。この判定の結果、売価適用日と特売期間が重ならなければ、ステップＳ２０８へ移行する。一方、売価適用日と特売期間が重なっている場合、ＣＰＵ２１は、売価適用日と特売期間が重なっている特売スケジュールデータのレコードの印刷対象フラグが「１」であるか否かを判定する（ステップＳ２０５）。この判定の結果、印刷対象フラグが「１」でなければ、ステップＳ２０８へ移行する。印刷対象フラグが「１」である場合、ＣＰＵ２１は、さらに印字フラグが「０」であるか否かを判定する（ステップＳ２０６）。この判定の結果、印字フラグが「０」でなければ、ステップＳ２０８へ移行する。
【００２５】
印字フラグが「０」であった場合、ＣＰＵ２１は、期間内売価のＰＯＰ広告を印字するために必要な情報（商品情報テーブル（図５）に記憶されているデータ）を記憶部２４から読み出し、通信部２５を介して印刷装置３へ送信する。これにより、期間内売価のＰＯＰ広告、棚札、またはラベルが印刷装置３によって印字されることになる（ステップＳ２０７）。ここで、印字されるＰＯＰ広告、棚札及びラベルの印字例を図１３、図１４、図１５に示す。図１３は、商品情報テーブル（図５）の印字フォーマットに従ってＰＯＰ広告を印字した例である。また、図１４は、商品情報テーブル（図５）の印字フォーマットに従って棚札を印字した例である。また、図１５は、商品情報テーブル（図５）の印字フォーマットに従ってラベルを印字した例である。
【００２６】
次に、ＣＰＵ２１は、記憶部２４に記憶されている作業指示履歴ファイル（図７参照）内を検索する（ステップＳ２０８）。そして、ＣＰＵ２１は、同一商品で本日以外の指示履歴が存在するか否かを判定する（ステップＳ２０９）。この判定の結果、指示履歴がなければ、ＣＰＵ２１は、通常売価と指示売価が同一でないかを判定する（ステップＳ２１０）。この判定の結果、通常売価と指示売価が同一であれば、ステップＳ２００へ戻る。
一方、通常売価と指示売価が同一でない場合、ＣＰＵ２１は、ＰＯＰ広告を本日印刷済みであるか否かを判定する（ステップＳ２１１）。この判定の結果、本日印刷済みである場合、ＣＰＵ２１は、ＰＯＰ広告取付作業を指示する情報（１レコード分）を記憶部２４内に記憶されている作業指示ファイルに書き込む（ステップＳ２１２）。そして、作業指示ファイル（図８）を更新する（ステップＳ２２６）。
【００２７】
一方、印刷済みでない場合、ＣＰＵ２１は、指示売価のＰＯＰ広告を印字するために必要な情報（商品情報テーブル（図５）に記憶されているデータ）を記憶部２４から読み出し、通信部２５を介して印刷装置３へ送信する。これにより、指示売価のＰＯＰ広告が印刷装置３によって印字されることになる（ステップＳ２１３）。続いて、ＣＰＵ２１は、ＰＯＰ広告取付作業を指示する情報（１レコード分）を記憶部２４内に記憶されている作業指示ファイルに書き込む（ステップＳ２１４）。そして、作業指示ファイル（図８）を更新する（ステップＳ２２６）。
【００２８】
次に、ステップＳ２０９において、指示履歴がある場合、ＣＰＵ２１は、売価適用日が指示履歴の期間と重なるか否かを判定する（ステップＳ２１５）。この判定の結果、売価適用日が指示履歴の期間と重なっていれば、ＣＰＵ２１は、ＰＯＰ広告取り替え作業と取り外したＰＯＰ広告を保管する作業を指示する情報（１レコード分）を記憶部２４内に記憶されている作業指示ファイルに書き込む（ステップＳ２１６）。そして、作業指示ファイル（図８）を更新する（ステップＳ２２６）。
【００２９】
次に、ステップＳ２１５において売価適用日が指示履歴の期間と重なっていない場合、ＣＰＵ２１は、作業指示履歴ファイルのデータを参照して、同一商品で本日以降の特売が存在するか否かを判定する（ステップＳ２１７）。この判定の結果、存在しない場合、ＣＰＵ２１は、通常売価と指示売価が同一であるか否かを判定する（ステップＳ２１８）。この判定の結果、売価が同一でなければ、ＣＰＵ２１は、指示売価のＰＯＰ広告を印字するために必要な情報（商品情報テーブル（図５）に記憶されているデータ）を記憶部２４から読み出し、通信部２５を介して印刷装置３へ送信する。これにより、指示売価のＰＯＰ広告が印刷装置３によって印字されることになる（ステップＳ２１９）。続いて、ＣＰＵ２１は、ＰＯＰ広告取付作業と取り外したＰＯＰ広告の廃棄作業を指示する情報（１レコード分）を記憶部２４内に記憶されている作業指示ファイルに書き込む（ステップＳ２２０）。そして、作業指示ファイル（図８）を更新する（ステップＳ２２６）。一方、通常売価と指示売価が同一であれば、ＣＰＵ２１は、ＰＯＰ広告取り外し作業と取り外したＰＯＰ広告の廃棄作業を指示する情報（１レコード分）を記憶部２４内に記憶されている作業指示ファイルに書き込む（ステップＳ２２１）。そして、作業指示ファイル（図８）を更新する（ステップＳ２２６）。
【００３０】
次に、ステップＳ２１７において、同一商品で本日以降の特売が存在する場合、ＣＰＵ２１は、特売企画と印字売価とが同じであるか否かを判定する（ステップＳ２２２）。この判定の結果、特売企画と印字売価とが同じでなければ、ステップＳ２１８へ移行し、前述した処理動作を行う。一方、特売企画と印字売価とが同じであれば、ＣＰＵ２１は、売価適用日と特売期間と重ならないかを判定する（ステップＳ２２３）。この判定の結果、売価適用日と特売期間と重なる場合、ＣＰＵ２１は、保管されているＰＯＰ広告の取付け作業を指示する情報（１レコード分）を記憶部２４内に記憶されている作業指示ファイルに書き込む（ステップＳ２２１）。そして、作業指示ファイル（図８）を更新する（ステップＳ２２６）。一方、売価適用日と特売期間と重ならない場合、既に取り付けられているＰＯＰ広告を取り外して保管する作業を指示する情報（１レコード分）を記憶部２４内に記憶されている作業指示ファイルに書き込む（ステップＳ２２１）。そして、作業指示ファイル（図８）を更新する（ステップＳ２２６）。
【００３１】
次に、ＣＰＵ２１は、作業指示ファイルの更新（ステップＳ２２６）した後に、ステップＳ２００へ戻り、売価変更データがなくなるまで、前述した処理動作を繰り返す。そして、売価変更データがなくなった時点で、ＣＰＵ２１は、作業指示ファイルの内容を読み出し（ステップＳ２２７）、通信部２５を介して印刷装置３へ送信する。これにより、作業指示リストが印刷装置３によって印字されることになる（ステップＳ２２８）。図１６に作業指示リストの印字例を示す。
【００３２】
次に、図１０〜１２を参照して、図２、３に示す処理動作の状態遷移を説明する。まず、図１０を参照して、ＪＡＮコードが「４９１２３４５６７８９０４」である商品に対する処理動作を説明する。図４に示す売価変更データに期間特売のレコードが追加されると、１０月１日より前は、通常価格１２０円で販売していた商品を１０月１日から期間特売として、１０３円で販売を開始する。このとき、ＰＯＰ広告の印字が必要となり（印字有り）、作業指示として、ＰＯＰ広告の「取付け」が指示される。これは、図３に示すステップＳ２１２が実行されたことになる。
【００３３】
次に、新たに売価変更データに週末特売のレコードが追加されると、１０３円で販売していた商品を１０月１３日から週末特売（売価８９円）を開始する。このとき、ＰＯＰ広告の印字が必要となり（印字有り）、作業指示として、ＰＯＰ広告の「取替え」と、取り外した「期間特売用のＰＯＰ広告の保管」が指示される。これは、図３に示すステップＳ２１６が実行されたことになる。
【００３４】
次に、新たに売価変更データに期間特売のレコードが追加されると、８９円で販売していた商品を１０月１５日から期間特売に戻す（売価１０３円）。このとき、ＰＯＰ広告の印字は不要であり（印字無し）、作業指示として、ＰＯＰ広告の「取替え」と、取り外した「週末特売用のＰＯＰ広告の廃棄」が指示される。これは、図３に示すステップＳ２１６が実行されたことになる。
【００３５】
次に、新たに売価変更データに通常価格戻しのレコードが追加されると、１０３円で販売していた商品を１１月１日から通常価格に戻す。このとき、ＰＯＰ広告の印字は不要であり（印字無し）、作業指示として、ＰＯＰ広告の「取り外し」と、取り外した「期間特売用のＰＯＰ広告の廃棄」が指示される。これは、図３に示すステップＳ２２０が実行されたことになる。
【００３６】
次に、図１１を参照して、ＪＡＮコードが「４９１２３４５６７８９１１」である商品に対する処理動作を説明する。図４に示す売価変更データに週末特売のレコードが追加されると、１０月１日より前は、通常価格１００円で販売していた商品を１０月１３日から週末特売として、８９円で販売を開始する。このとき、ＰＯＰ広告の印字が必要となり（印字有り）、作業指示として、ＰＯＰ広告の「取付け」が指示される。これは、図３に示すステップＳ２１２が実行されたことになる。
【００３７】
次に、新たに売価変更データに通常価格戻しのレコードが追加されると、８９円で販売していた商品を１０月１５日から通常価格の１００円に戻す。このとき、ＰＯＰ広告の印字が必要であり（印字有り）、作業指示として、ＰＯＰ広告の「取り外し」と、取り外した「週末特売用のＰＯＰ広告の保管」が指示される。これは、図３に示すステップＳ２２５が実行されたことになる。
【００３８】
次に、新たに売価変更データに週末特売のレコードが追加されると、１００円で販売していた商品を１０月２７日から週末特売（売価８９円）を開始する。このとき、ＰＯＰ広告の印字は不要であり（印字無し）、作業指示として、保管されているＰＯＰ広告の「取付け」が指示される。これは、図３に示すステップＳ２２４が実行されたことになる。
【００３９】
次に、新たに売価変更データには不要であり（印字無し）のレコードが追加されると、８９円で販売していた商品を１０月２９日から通常価格に戻す（売価１００円）。このとき、ＰＯＰ広告の印字は不要であり（印字無し）、作業指示として、ＰＯＰ広告の「取外し」と、取り外した「週末特売用のＰＯＰ広告の廃棄」が指示される。これは、図３に示すステップＳ２２１が実行されたことになる。
【００４０】
次に、図１２を参照して、ＪＡＮコードが「４９１２３４５６７８９３５」である商品に対する処理動作を説明する。図４に示す売価変更データに緊急特売のレコードが追加されると、１０月１５日より前は、通常価格１００円で販売していた商品を１０月１５日から緊急特売として、８９円で販売を開始する。このとき、ＰＯＰ広告の印字が必要となり（印字有り）、作業指示として、ＰＯＰ広告の「取付け」が指示される。これは、図３に示すステップＳ２１４が実行されたことになる。
【００４１】
次に、新たに売価変更データに通常価格戻しのレコードが追加されると、８９円で販売していた商品を１０月１６日から通常価格の１００円に戻す。このとき、ＰＯＰ広告の印字は不要であり（印字無し）、作業指示として、ＰＯＰ広告の「取り外し」と、取り外した「緊急特売用のＰＯＰ広告の廃棄」が指示される。これは、図３に示すステップＳ２２１が実行されたことになる。
【００４２】
なお、図１６に示す作業リストは、図１７に示すように、ＰＯＰ広告等の着脱作業指示の記載と対応する位置にＰＯＰ広告等の印字画像（図１３〜図１５参照）を縮小して印字するようにしてもよい。このようにすることにより、取付け取外しを行うべきＰＯＰ広告等の印字画像が作業指示と合わせて印字されるため、誰でも一目で目視し、一致対応確認ができ、作業ミスを無くすことができる。また、作業者が筆記用具を用いて作業終了チェックを行うためのチェック欄を設けることにより、確実に作業指示に対する作業を遂行することが可能となる。
【００４３】
このように、ＰＯＰ広告等の取扱作業指示を出力するようにしたため、この取扱作業指示に基づいて、ＰＯＰ広告、棚札及びラベル等の掲示作業を行なえば、掲示ミスや貼付ミスを無くすることができ、来店した客へ正しい商品の販売価格或いは情報を伝達することが可能となる。特にＰＯＰ広告等の取付け、取外し、取り替え等の具体的な作業指示を出力するようにしたため、ＰＯＰ広告等の掲示作業を確実に行うことが可能となる。また、ＰＯＰ広告等の取付け、取外し後保管、取外し後廃棄、取り替え後保管等の作業指示を出力するようにしたため、印字済みのＰＯＰ広告等の再利用が可能になる。このため、無駄にＰＯＰ広告等を印字することを防止することができるため、経費を低減することができる。また、印字済みのＰＯＰ広告等を所定の保管場所に保管するように作業指示を出力するようにしたため、ＰＯＰ広告等の再利用を確実に行うことが可能となる。
【００４４】
なお、前述した説明においては、ＰＯＰ広告或いはラベルの掲示及び貼付するために使用する作業リストを紙等の印刷媒体へ印字しているが、無線ＬＡＮなどを用いた携帯端末へ作業リストと同じ内容を表示させＰＯＰ広告或いはラベルの掲示や貼付作業をさせるようにしても良い。この場合、商品陳列場所毎、又は重要商品順など毎にナビゲーション（誘導）するようにしても良い。
【００４５】
また、ＰＯＰ広告の保管場所を売場と離れた専用箱を例としているが、商品陳列棚のＰＯＰ広告掲示場所をＰＯＰ広告を複数枚重ねて掲示可能にして、古いものを後ろ側に保管できるようにし、新しいものを前面に保管（掲示）させるようにして、取替えがスムーズに出来るようにしても良い。
【００４６】
なお、請求項でいう「期間」とは、ある商品をある日の午前または午後から販売を開始し、特定日または特定時間に終了する場合であったり、ある特定した一ヶ月間を指定する場合、一週間の後半であって土日を含み指定する週末の場合、春夏秋冬の季節の中である季節を限定する場合、行事や祭事が行われる単日、あるいは開始と終了を指定した連続した日付である場合などを含むものである。
【００４７】
また、図１における処理部の機能を実現するためのプログラムをコンピュータ読み取り可能な記録媒体に記録して、この記録媒体に記録されたプログラムをコンピュータシステムに読み込ませ、実行することにより広告印刷物の印字管理処理及び取り扱い管理処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００４９】
【図１】本発明の一実施形態の構成を示すブロック図である。
【図２】図１に示す印字システム２の動作を示すフローチャートである。
【図３】図１に示す印字システム２の動作を示すフローチャートである。
【図４】図１に示す上位コンピュータ１から取得する売価変更データのデータ構造を示す説明図である。
【図５】図１に示す記憶部２４に記憶される商品情報テーブルのデータ構造を示す説明図である。
【図６】図１に示す記憶部２４に記憶される特売スケジュールデータのデータ構造を示す説明図である。
【図７】図１に示す記憶部２４に記憶される作業指示履歴ファイルのデータ構造を示す説明図である。
【図８】図１に示す記憶部２４に記憶される作業指示ファイルのデータ構造を示す説明図である。
【図９】図１に示す記憶部２４に記憶される保管場所情報のデータ構造を示す説明図である。
【図１０】販売商品の売価の状態遷移を示す説明図である。
【図１１】販売商品の売価の状態遷移を示す説明図である。
【図１２】販売商品の売価の状態遷移を示す説明図である。
【図１３】ＰＯＰ広告の印字フォーマットと印刷イメージを示す説明図である。
【図１４】棚札の印字フォーマットと印刷イメージを示す説明図である。
【図１５】ラベルの印字フォーマットと印刷イメージを示す説明図である。
【図１６】作業リストの印刷イメージを示す説明図である。
【図１７】作業リストの印刷イメージを示す説明図である。
【符号の説明】
【００５０】
１・・・上位コンピュータ（管理装置）、２・・・印字システム、２１・・・ＣＰＵ、２２・・・ＲＯＭ、２３・・ＲＡＭ、２４・・・記憶部、２５・・・通信部、２６・・・表示部、２７・・・入力部、３・・・印刷装置、４・・・ＬＡＮ、５・・・外部ネットワーク、６・・・ＰＯＰ広告保管箱、
【図１】
0005125445.tif 000002
【図２】
0005125445.tif 000003
【図３】
0005125445.tif 000004
【図４】
0005125445.tif 000005
【図５】
0005125445.tif 000006
【図６】
0005125445.tif 000007
【図７】
0005125445.tif 000008
【図８】
0005125445.tif 000009
【図９】
0005125445.tif 000010
【図１０】
0005125445.tif 000011
【図１１】
0005125445.tif 000012
【図１２】
0005125445.tif 000013
【図１３】
0005125445.tif 000014
【図１４】
0005125445.tif 000015
【図１５】
0005125445.tif 000016
【図１６】
0005125445.tif 000017
【図１７】
0005125445.tif 000018